(57)【要約】あるロケーションサービスを提供するためにワイヤレスシグナリング環境において実装され得る方法および装置が提供される。ロケーションサービスは、たとえば、ワイヤレス端末に関連付けられた測位されたワイヤレスシグナリング測定値に関連付けられた測位情報に少なくとも部分的に基づくことができる。ロケーションサービスは、信号パターンマッチングを使用したロケーション、観測タイミング差を使用したロケーション、精密時間支援を使用したロケーション、重大なネットワークイベントのロケーションおよびあるカバレージエリアの端末のロケーション分布、を備えることができる。
2011517260.tif 000002
【特許請求の範囲】
【請求項１】
複数のモバイル端末と複数の基地局とのワイヤレスシグナリング測定値に関連付けられた測位情報にアクセスすることと、
ターゲットモバイル端末に関連付けられた前記測位情報とシグナリング情報とに少なくとも部分的に基づいて、前記ターゲットモバイル端末のロケーション情報を判断することと、
を備える方法。
【請求項２】
前記ターゲットモバイル端末のロケーション情報を判断することは、前記ターゲットモバイル端末に関連付けられた前記測位情報と前記シグナリング情報とに少なくとも部分的に基づいて、信号パターンマッチングを実行することを備える、請求項１に記載の方法。
【請求項３】
前記ターゲットモバイル端末に関連付けられた前記シグナリング情報を受信すること、
をさらに備える、請求項１に記載の方法。
【請求項４】
前記ロケーション情報をネットワークロケーションサービスに与えること、
をさらに備える、請求項１に記載の方法。
【請求項５】
前記ワイヤレスシグナリング測定値のうちの少なくとも１つは、対応するタイムスタンプ情報を備える、請求項１に記載の方法。
【請求項６】
前記ワイヤレスシグナリング測定値のうちの少なくとも１つは、対応するモバイル端末ロケーション情報を備える、請求項１に記載の方法。
【請求項７】
前記モバイル端末ロケーション情報は、衛星測位システム（Satellite Positioning System（ＳＰＳ））情報に少なくとも部分的に基づく、請求項６に記載の方法。
【請求項８】
前記ＳＰＳ情報は、全地球測位システム（Global Positioning System（ＧＰＳ））データ、アシスト型ＧＰＳ（Assisted GPS（Ａ−ＧＰＳ））データ、全地球航法衛星システム（Global Navigation Satellite System（ＧＮＳＳ））データ、および／またはアシスト型ＧＮＳＳ（Assisted GNSS（Ａ−ＧＮＳＳ））データのうちの少なくとも１つに少なくとも部分的に基づく、請求項７に記載の方法。
【請求項９】
前記ワイヤレスシグナリング測定値のうちの少なくとも１つは、前記複数のモバイル端末のうちの少なくとも１つに関連付けられた測定報告メッセージ（Measurement Report Message（ＭＲＭ））に少なくとも部分的に基づく、請求項１に記載の方法。
【請求項１０】
前記ワイヤレスシグナリング測定値のうちの少なくとも１つは、広帯域符号分割多元接続（Wideband Code Division Multiple Access（ＷＣＤＭＡ））シグナリングに関連付けられる、請求項１に記載の方法。
【請求項１１】
前記測位情報は、実時間差（Real Time Difference（ＲＴＤ））情報を備える、請求項１に記載の方法。
【請求項１２】
前記測位情報に少なくとも部分的に基づいて、１つまたは複数の推定実時間差（Real Time Difference（ＲＴＤ））を予測すること、
をさらに備える、請求項１に記載の方法。
【請求項１３】
観測到達時間差（Observed Time Difference of Arrival（ＯＴＤＯＡ））と前記１つまたは複数の推定ＲＴＤのうちの少なくとも１つとに少なくとも部分的に基づいて、前記ターゲットモバイル端末の推定ロケーションを判断すること、
をさらに備える、請求項１２に記載の方法。
【請求項１４】
前記１つまたは複数の推定ＲＴＤのうちの少なくとも１つに少なくとも部分的に基づいて少なくとも１つの基地局の精密時間支援（fine time assistance）情報を確立すること、
をさらに備える、請求項１２に記載の方法。
【請求項１５】
前記精密時間支援情報を前記少なくとも１つの基地局、および／または、少なくとも１つのモバイル端末、の少なくとも１つに与えること、
をさらに備える、請求項１４に記載の方法。
【請求項１６】
前記精密時間支援情報は、衛星測位システム（Satellite Positioning System（ＳＰＳ））時間に関連付けられる、請求項１４に記載の方法。
【請求項１７】
前記ロケーション情報に少なくとも部分的に基づいて、少なくとも１つのネットワークイベントに関連付けられたイベントロケーション情報を判断すること、
をさらに備える、請求項１に記載の方法。
【請求項１８】
前記ワイヤレスシグナリング測定値のうちの少なくとも１つは、合成ワイヤレスシグナリング測定値を備える、請求項１に記載の方法。
【請求項１９】
前記合成信号測定値に少なくとも部分的に基づいて、カバレージエリア内のモバイル端末の分布を判断すること、
をさらに備える、請求項１８に記載の方法。
【請求項２０】
前記ロケーション情報は、前記ターゲットモバイル端末に関連付けられた観測到達時間差（Observed Time Difference of Arrival（ＯＴＤＯＡ））情報に少なくとも部分的に基づく、請求項１に記載の方法。
【請求項２１】
前記複数のモバイル端末と前記複数の基地局とに関連付けられたワイヤレス信号測定値とＯＴＤとを受信することと、
前記複数のモバイル局のロケーション推定値と前記複数の基地局のＲＴＤとを判断することと、
によって、前記測位情報を確立することと、
前記ワイヤレス信号測定値と前記ロケーション推定値とに少なくとも部分的に基づいて、異なるロケーションの信号測定値を確立することと、
をさらに備える、請求項１に記載の方法。
【請求項２２】
複数のモバイル端末と複数の基地局とのワイヤレスシグナリング測定値に関連付けられた測位情報にアクセスするための手段と、
ターゲットモバイル端末に関連付けられた前記測位情報とシグナリング情報とに少なくとも部分的に基づいて、前記ターゲットモバイル端末のロケーション情報を判断するための手段と、
を備える装置。
【請求項２３】
前記ターゲットモバイル端末のロケーション情報を判断するための前記手段は、
前記ターゲットモバイル端末に関連付けられた前記測位情報と前記シグナリング情報とに少なくとも部分的に基づいて信号パターンマッチングを実行するための手段、
を備える、請求項２２に記載の装置。
【請求項２４】
前記ターゲットモバイル端末に関連付けられた前記シグナリング情報を受信するための手段、
をさらに備える、請求項２２に記載の装置。
【請求項２５】
前記ロケーション情報をネットワークロケーションサービスに与えるための手段、
をさらに備える、請求項２２に記載の装置。
【請求項２６】
前記ワイヤレスシグナリング測定値のうちの少なくとも１つは、対応するタイムスタンプ情報を備える、請求項２２に記載の装置。
【請求項２７】
前記ワイヤレスシグナリング測定値のうちの少なくとも１つは、対応するモバイル端末ロケーション情報を備える、請求項２２に記載の装置。
【請求項２８】
前記モバイル端末ロケーション情報は、衛星測位システムSatellite Positioning System（ＳＰＳ））情報に少なくとも部分的に基づく、請求項２７に記載の装置。
【請求項２９】
前記ＳＰＳ情報は、全地球測位システム（Global Positioning System（ＧＰＳ））データ、アシスト型ＧＰＳ（Assisted GPS（Ａ−ＧＰＳ））データ、全地球航法衛星システム（Global Navigation Satellite System（ＧＮＳＳ））データ、および／またはアシスト型ＧＮＳＳ（Assisted GNSS（Ａ―ＧＮＳＳ））データのうちの少なくとも１つに少なくとも部分的に基づく、請求項２８に記載の装置。
【請求項３０】
前記ワイヤレスシグナリング測定値のうちの少なくとも１つは、前記複数のモバイル端末のうちの少なくとも１つに関連付けられた測定報告メッセージ（Measurement Report Message（ＭＲＭ））に少なくとも部分的に基づく、請求項２２に記載の装置。
【請求項３１】
前記ワイヤレスシグナリング測定値のうちの少なくとも１つは、広帯域符号分割多元接続（Wideband Code Division Multiple Access（ＷＣＤＭＡ））シグナリングに関連付けられる、請求項２２に記載の装置。
【請求項３２】
前記測位情報は、実時間差（Real Time Difference（ＲＴＤ））情報を備える、請求項２２に記載の装置。
【請求項３３】
前記測位情報に少なくとも部分的に基づいて、１つまたは複数の推定実時間差（Real Time Difference（ＲＴＤ））を予測するための手段、
をさらに備える、請求項２２に記載の装置。
【請求項３４】
観測到達時間差（Observed Time Difference of Arrival（ＯＴＤＯＡ））と前記１つまたは複数の推定ＲＴＤのうちの少なくとも１つとに少なくとも部分的に基づいて、前記ターゲットモバイル端末の推定ロケーションを判断するための手段、
をさらに備える、請求項３３に記載の装置。
【請求項３５】
前記１つまたは複数の推定ＲＴＤのうちの少なくとも１つに少なくとも部分的に基づいて、少なくとも１つの基地局の精密時間支援情報を確立するための手段、
をさらに備える、請求項３３に記載の装置。
【請求項３６】
前記精密時間支援情報を前記少なくとも１つの基地局、および／または、少なくとも１つのモバイル端末、のうちの少なくとも１つに与えるための手段、
をさらに備える、請求項３５に記載の装置。
【請求項３７】
前記精密時間支援情報は、衛星測位システム（Satellite Positioning System（ＳＰＳ））時間に関連付けられる、請求項３５に記載の装置。
【請求項３８】
前記ロケーション情報に少なくとも部分的に基づいて、少なくとも１つのネットワークイベントに関連付けられたイベントロケーション情報を判断するための手段、
をさらに備える、請求項２２に記載の装置。
【請求項３９】
前記ワイヤレスシグナリング測定値のうちの少なくとも１つは、合成ワイヤレスシグナリング測定値を備える、請求項２２に記載の装置。
【請求項４０】
前記合成信号測定値に少なくとも部分的に基づいて、カバレージエリア内のモバイル端末の分布を判断するための手段、
をさらに備える、請求項３９に記載の装置。
【請求項４１】
前記ロケーション情報は、前記ターゲットモバイル端末に関連付けられた観測到達時間差（Observed Time Difference of Arrival（ＯＴＤＯＡ））情報に少なくとも部分的に基づく、請求項２２に記載の装置。
【請求項４２】
前記複数のモバイル端末と前記複数の基地局とに関連付けられたワイヤレス信号測定値とＯＴＤとを受信するための手段と、
前記複数のモバイル局のロケーション推定値と前記複数の基地局のＲＴＤとを判断するための手段と、
を備える、前記測位情報を確立するための手段と、
前記ワイヤレス信号測定値と前記ロケーション推定値とに少なくとも部分的に基づいて、異なるロケーションの信号測定値を確立するための手段と、
をさらに備える、請求項２２に記載の装置。
【請求項４３】
複数のモバイル端末と複数の基地局とのワイヤレスシグナリング測定値に関連付けられた測位情報を記憶したメモリと、
前記メモリに動作的に（operatively）結合され、ターゲットモバイル端末に関連付けられた前記測位情報とシグナリング情報とに少なくとも部分的に基づいて、前記ターゲットモバイル端末のロケーション情報を判断することを動作的に可能にされた処理ユニットと、
を備える装置。
【請求項４４】
前記処理ユニットは、前記ターゲットモバイル端末に関連付けられた前記測位情報と前記シグナリング情報とに少なくとも部分的に基づいて、信号パターンマッチングを実行することによって、前記ターゲットモバイル端末の前記ロケーション情報を判断することを動作的に可能にされる、請求項４３に記載の装置。
【請求項４５】
前記メモリおよび／または前記処理ユニットのうちの少なくとも１つに動作的に結合され、前記ターゲットモバイル端末に関連付けられた前記シグナリング情報を、通信リンクを介して受信することを動作的に可能にされた受信機、
をさらに備える、請求項４３に記載の装置。
【請求項４６】
前記メモリおよび／または前記処理ユニットのうちの少なくとも１つに動作的に結合され、通信リンクを介して前記ロケーション情報をネットワークロケーションサービスに与えることを動作的に可能にされた送信機、
をさらに備える、請求項４３に記載の装置。
【請求項４７】
前記ワイヤレスシグナリング測定値のうちの少なくとも１つは、対応するタイムスタンプ情報を備える、請求項４３に記載の装置。
【請求項４８】
前記ワイヤレスシグナリング測定値のうちの少なくとも１つは、対応するモバイル端末ロケーション情報を備える、請求項４３に記載の装置。
【請求項４９】
前記モバイル端末ロケーション情報は、衛星測位システム（Satellite Positioning System（ＳＰＳ））情報に少なくとも部分的に基づく、請求項４８に記載の装置。
【請求項５０】
前記ＳＰＳ情報は、全地球測位システム（Global Positioning System（ＧＰＳ））データ、アシスト型ＧＰＳ（Assisted GPS（Ａ−ＧＰＳ））データ、全地球航法衛星システム（Global Navigation Satellite System（ＧＮＳＳ））データ、および／またはアシスト型ＧＮＳＳ（Assisted GNSS（Ａ―ＧＮＳＳ））データのうちの少なくとも１つに少なくとも部分的に基づく、請求項４９に記載の装置。
【請求項５１】
前記ワイヤレスシグナリング測定値のうちの少なくとも１つは、前記複数のモバイル端末のうちの少なくとも１つに関連付けられた測定報告メッセージ（Measurement Report Message（ＭＲＭ））に少なくとも部分的に基づく、請求項４３に記載の装置。
【請求項５２】
前記ワイヤレスシグナリング測定値のうちの少なくとも１つは、広帯域符号分割多元接続（Wideband Code Division Multiple Access（ＷＣＤＭＡ））シグナリングに関連付けられる、請求項４３に記載の装置。
【請求項５３】
前記測位情報は、実時間差（Real Time Difference（ＲＴＤ））情報を備える、請求項４３に記載の装置。
【請求項５４】
前記処理ユニットは、前記測位情報に少なくとも部分的に基づいて、１つまたは複数の推定実時間差（Real Time Difference（ＲＴＤ）を予測することを動作的に可能にされる、請求項４３に記載の装置。
【請求項５５】
前記処理ユニットは、観測到達時間差（Observed Time Difference of Arrival（ＯＴＤＯＡ））と前記１つまたは複数の推定ＲＴＤのうちの少なくとも１つとに少なくとも部分的に基づいて、前記ターゲットモバイル端末の推定ロケーションを判断することを動作的に可能にされる、請求項５４に記載の装置。
【請求項５６】
前記処理ユニットは、前記１つまたは複数の推定ＲＴＤのうちの少なくとも１つに少なくとも部分的に基づいて、少なくとも１つの基地局の精密時間支援情報を確立することを動作的に可能にされる、請求項５４に記載の装置。
【請求項５７】
前記処理ユニットは、前記精密時間支援情報を前記少なくとも１つの基地局、および／または、少なくとも１つのモバイル端末、の少なくとも１つに与えることを動作的に可能にされる、請求項５６に記載の装置。
【請求項５８】
前記精密時間支援情報は、衛星測位システム（Satellite Positioning System（ＳＰＳ））時間に関連付けられる、請求項５６に記載の装置。
【請求項５９】
前記処理ユニットは、前記ロケーション情報に少なくとも部分的に基づいて、少なくとも１つのネットワークイベントに関連付けられたイベントロケーション情報を判断することを動作的に可能にされる、請求項４３に記載の装置。
【請求項６０】
前記ワイヤレスシグナリング測定値のうちの少なくとも１つは、合成ワイヤレスシグナリング測定値を備える、請求項４３に記載の装置。
【請求項６１】
前記処理ユニットは、前記合成信号測定値に少なくとも部分的に基づいて、カバレージエリア内のモバイル端末の分布を判断することを動作的に可能にされる、請求項６０に記載の装置。
【請求項６２】
前記ロケーション情報は、前記ターゲットモバイル端末に関連付けられた観測到達時間差（Observed Time Difference of Arrival（ＯＴＤＯＡ））情報に少なくとも部分的に基づく、請求項４３に記載の装置。
【請求項６３】
前記処理ユニットは、
前記複数のモバイル端末と前記複数の基地局とに関連付けられたワイヤレス信号測定値とＯＴＤとを受信することと、前記複数のモバイル局のロケーション推定値と前記複数の基地局のＲＴＤとを判断することと、によって、前記測位情報を確立することと、
前記ワイヤレス信号測定値と前記ロケーション推定値とに少なくとも部分的に基づいて、様々なロケーションの信号測定値を確立することと、
を動作的に可能にされた、請求項４３に記載の装置。
【請求項６４】
１つまたは複数の処理ユニットによって実施されると、前記１つまたは複数の処理ユニットが、
複数のモバイル端末と複数の基地局とのワイヤレスシグナリング測定値に関連付けられた測位情報にアクセスすることと、
ターゲットモバイル端末に関連付けられた前記測位情報とシグナリング情報とに少なくとも部分的に基づいて、前記ターゲットモバイル端末のロケーション情報を判断することと
を動作的に可能にするコンピュータ実施可能命令を記憶したコンピュータ可読媒体、
を備える物品。
【請求項６５】
前記１つまたは複数の処理ユニットによって実施されると、前記１つまたは複数の処理ユニットが、
ターゲットモバイル端末に関連付けられた前記測位情報とシグナリング情報とに少なくとも部分的に基づいて、信号パターンマッチングを実行することによって前記ターゲットモバイル端末の前記ロケーション情報を判断すること、
を動作的に可能にするコンピュータ実施可能命令をさらに備える、請求項６４に記載の物品。
【請求項６６】
前記１つまたは複数の処理ユニットによって実施されると、前記１つまたは複数の処理ユニットが、
前記ロケーション情報をネットワークロケーションサービスに与えること、
を動作的に可能にするコンピュータ実施可能命令をさらに備える、請求項６４に記載の物品。
【請求項６７】
前記ワイヤレスシグナリング測定値のうちの少なくとも１つは、対応するタイムスタンプ情報を備える、請求項６４に記載の物品。
【請求項６８】
前記ワイヤレスシグナリング測定値のうちの少なくとも１つは、対応するモバイル端末ロケーション情報を備える、請求項６４に記載の物品。
【請求項６９】
前記モバイル端末ロケーション情報は、衛星測位システム（Satellite Positioning System（ＳＰＳ））情報に少なくとも部分的に基づく、請求項６８に記載の物品。
【請求項７０】
前記ＳＰＳ情報は、全地球測位システム（Global Positioning System（ＧＰＳ））データ、アシスト型ＧＰＳ（Assisted GPS（Ａ−ＧＰＳ））データ、全地球航法衛星システム（Global Navigation Satellite System（ＧＮＳＳ））データ、および／またはアシスト型ＧＮＳＳ（Assisted GNSS（Ａ―ＧＮＳＳ））データのうちの少なくとも１つに少なくとも部分的に基づく、請求項６９に記載の物品。
【請求項７１】
前記ワイヤレスシグナリング測定値のうちの少なくとも１つは、前記複数のモバイル端末のうちの少なくとも１つに関連付けられた測定報告メッセージ（Measurement Report Message（ＭＲＭ））に少なくとも部分的に基づく、請求項６４に記載の物品。
【請求項７２】
前記ワイヤレスシグナリング測定値のうちの少なくとも１つは、広帯域符号分割多元接続（Wideband Code Division Multiple Access（ＷＣＤＭＡ））シグナリングに関連付けられる、請求項６４に記載の物品。
【請求項７３】
前記測位情報は、実時間差（Real Time Difference（ＲＴＤ））情報を備える、請求項６４に記載の物品。
【請求項７４】
前記１つまたは複数の処理ユニットによって実施されると、前記１つまたは複数の処理ユニットが、
前記測位情報に少なくとも部分的に基づいて１つまたは複数の推定実時間差（Real Time Difference（ＲＴＤ）を予測すること、
を動作的に可能にするコンピュータ実施可能命令をさらに備える、請求項６４に記載の物品。
【請求項７５】
前記１つまたは複数の処理ユニットによって実施されると、前記１つまたは複数の処理ユニットが、
観測到達時間差（Observed Time Difference of Arrival（ＯＴＤＯＡ））と前記１つまたは複数の推定ＲＴＤのうちの少なくとも１つとに少なくとも部分的に基づいて、前記ターゲットモバイル端末の推定ロケーションを判断すること、
を動作的に可能にするコンピュータ実施可能命令をさらに備える、請求項７４に記載の物品。
【請求項７６】
前記１つまたは複数の処理ユニットによって実施されると、前記１つまたは複数の処理ユニットが、
前記１つまたは複数の推定ＲＴＤのうちの少なくとも１つに少なくとも部分的に基づいて、少なくとも１つの基地局の精密時間支援情報を確立すること、
を動作的に可能にするコンピュータ実施可能命令をさらに備える、請求項７４に記載の物品。
【請求項７７】
前記１つまたは複数の処理ユニットによって実施されると、前記１つまたは複数の処理ユニットが、
前記精密時間支援情報を前記少なくとも１つの基地局、および／または、少なくとも１つのモバイル端末、の少なくとも１つに与えること、
を動作的に可能にするコンピュータ実施可能命令をさらに備える、請求項７６に記載の物品。
【請求項７８】
前記精密時間支援情報は、衛星測位システム（Satellite Positioning System（ＳＰＳ））時間に関連付けられる、請求項７６に記載の物品。
【請求項７９】
前記１つまたは複数の処理ユニットによって実施されると、前記１つまたは複数の処理ユニットが、
前記ロケーション情報に少なくとも部分的に基づいて、少なくとも１つのネットワークイベントに関連付けられたイベントロケーション情報を判断すること、
を動作的に可能にするコンピュータ実施可能命令をさらに備える、請求項６４に記載の物品。
【請求項８０】
前記ワイヤレスシグナリング測定値のうちの少なくとも１つは、合成ワイヤレスシグナリング測定値を備える、請求項６４に記載の物品。
【請求項８１】
前記１つまたは複数の処理ユニットによって実施されると、前記１つまたは複数の処理ユニットが、
前記合成信号測定値に少なくとも部分的に基づいて、カバレージエリア内のモバイル端末の分布を判断すること、
を動作的に可能にするコンピュータ実施可能命令をさらに備える、請求項８０に記載の物品。
【請求項８２】
前記ロケーション情報は、前記ターゲットモバイル端末に関連付けられた観測到達時間差（Observed Time Difference of Arrival（ＯＴＤＯＡ））情報に少なくとも部分的に基づく、請求項６４に記載の物品。
【請求項８３】
前記１つまたは複数の処理ユニットによって実施されると、前記１つまたは複数の処理ユニットが、
前記複数のモバイル端末と前記複数の基地局とに関連付けられたワイヤレス信号測定値とＯＴＤとを受信することと、前記複数のモバイル局のロケーション推定値と前記複数の基地局のＲＴＤとを判断することと、によって、前記測位情報を確立することと、
前記ワイヤレス信号測定値と前記ロケーション推定値とに少なくとも部分的に基づいて、異なるロケーションの信号測定値を確立することと、
を動作的に可能にするコンピュータ実施可能命令をさらに備える、請求項６４に記載の物品。
【発明の詳細な説明】
【技術分野】
【０００１】
関連出願
本特許出願は、その全体が参照により本明細書に組み込まれる、２００８年４月１５日に出願された米国特許仮出願第６１／０４５，２１８号の利益および優先権を主張する。
【０００２】
１．分野
本明細書で開示される主題は、電子デバイスに関し、より詳細には、ワイヤレス通信システムにおいて使用するための電子デバイスにおいて使用するための方法および装置に関する。
【背景技術】
【０００３】
２．情報
ワイヤレス通信システムおよびデバイスは、急速にデジタル情報領域において最も普及した技術の１つになりつつある。衛星およびセルラー電話サービスならびに他の同様のワイヤレス通信ネットワークは、すでに地球全体に広がっているかもしれない。さらに、様々なタイプおよびサイズの新しいワイヤレスシステム（たとえば、ネットワーク）が固定とポータブルの両方の極めて多くのデバイス間の接続性を与えるために、日々追加されている。これらのワイヤレスシステムの多くは、情報の一層多くの通信および共有を促進するために、他の通信システムおよびリソースを通して互いに結合される。実際、いくつかのデバイスが２つ以上のワイヤレス通信システムと通信することは珍しくなく、この傾向は強まっているように見える。
【０００４】
別のポピュラーでますます重要なワイヤレス技術は、ナビゲーションシステムおよびデバイス、特に、たとえば、全地球測位システム（Global Positioning System（ＧＰＳ））および他の同様の全地球航法衛星システム（Global Navigation Satellite System（ＧＮＳＳ））などの衛星測位システム（ＳＰＳ）を含む。ＳＰＳ受信機は、たとえば、ＧＮＳＳの複数の軌道周回衛星によって送信されたワイヤレスＳＰＳ信号を受信することができる。ＳＰＳ信号は、受信されると、たとえばセルラー電話など、ＳＰＳ受信機経路を有するデバイスに関連付けられた地球時間、近似地理的ロケーション、高度、および／または速度などを判断するために処理され得る。
【０００５】
ワイヤレスネットワークのカバレージエリア内でセルラー電話などのモバイルデバイスの位置を特定する際に使用するための他の測位技法も知られており、利用可能である。たとえば、三辺測量および／または他の同様のプロセスに基づいてセルラー電話のロケーションを判断またはさもなければ推定するために、様々なシグナリング／タイミング技法が採用され得る。
【発明の概要】
【０００６】
あるロケーションサービスを提供するためにワイヤレスシグナリング環境において実装され得る方法および装置が提供される。ロケーションサービスは、たとえば、測位されたワイヤレスシグナリング測定値に関連付けられた測位情報に少なくとも部分的に基づくことができる。
【０００７】
例として、一態様によれば、例示的な方法は、複数のモバイル端末と複数の基地局とのワイヤレスシグナリング測定値に関連付けられた測位情報にアクセスすることと、ターゲットモバイル端末に関連付けられた測位情報とシグナリング情報とに少なくとも部分的に基づいて、ターゲットモバイル端末のロケーション情報を判断することと、を含むことができる。
【０００８】
ある例示的な実装形態では、ロケーション情報は、ターゲットモバイル端末に関連付けられた測位情報とシグナリング情報とに少なくとも部分的に基づいて、信号パターンマッチングを実行することによって判断され得る。
【０００９】
ある例示的な実装形態では、ワイヤレスシグナリング測定値は、モバイル端末に関連付けられた測定報告メッセージ（Measurement Report Message（ＭＲＭ））に少なくとも部分的に基づくことができ、ワイヤレスシグナリング測定値は、広帯域符号分割多元接続（Wideband Code Division Multiple Access（ＷＣＤＭＡ））シグナリングに関連付けられることができ、および／または、測位情報は、実時間差（Real Time Difference（ＲＴＤ））情報を含むことができる。
【００１０】
ある例示的な実装形態では、方法は、測位情報に少なくとも部分的に基づいて１つまたは複数の推定実時間差（Real Time Difference（ＲＴＤ））を予測すること、観測到達時間差（Observed Time Difference of Arrival（ＯＴＤＯＡ））と少なくとも１つの推定ＲＴＤとに少なくとも部分的に基づいてターゲットモバイル端末の推定ロケーションを判断すること、少なくとも１つの推定ＲＴＤに少なくとも部分的に基づいて少なくとも１つの基地局の精密時間支援（fine time assistance）情報を確立すること、ならびに／あるいは精密時間支援情報を基地局および／または少なくとも１つのモバイル端末に与えること、を含むことができる。
【００１１】
ある例示的な実装形態では、方法は、ロケーション情報に少なくとも部分的に基づいて、少なくとも１つのネットワークイベントに関連付けられたイベントロケーション情報を判断することを含むことができる。
【００１２】
ある例示的な実装形態では、方法は、複数のモバイル端末と複数の基地局とに関連付けられたワイヤレス信号測定値と観測タイミング差（ＯＴＤ）とを受信することと、複数のモバイル局のロケーション推定値と複数の基地局のＲＴＤとを判断することによって、測位情報を確立することと、を含むことができる。いくつかの方法は、測位情報に少なくとも部分的に基づいて、異なるロケーションの信号測定値を確立することを含むこともできる。
【００１３】
例として、一態様によれば、例示的な装置は、複数のモバイル端末と複数の基地局とのワイヤレスシグナリング測定値に関連付けられた測位情報にアクセスすることと、ターゲットモバイル端末に関連付けられた測位情報とシグナリング情報とに少なくとも部分的に基づいてターゲットモバイル端末のロケーション情報を判断することと、を動作的に（operatively）可能にされ得る。
【００１４】
別の態様によれば、例示的な装置は、複数のモバイル端末と複数の基地局とのワイヤレスシグナリング測定値に関連付けられた測位情報にアクセスすることと、ターゲットモバイル端末に関連付けられた測位情報とシグナリング情報とに少なくとも部分的に基づいてターゲットモバイル端末のロケーション情報を判断することと、を動作的に可能にされ得る。
【００１５】
ある他の例示的な実装形態では、装置は、複数のモバイル端末と複数の基地局とのワイヤレスシグナリング測定値に関連付けられた測位情報を記憶したメモリをもつ専用コンピューティングデバイスと、上記メモリに動作的に結合され、ターゲットモバイル端末に関連付けられた測位情報とシグナリング情報とに少なくとも部分的に基づいてターゲットモバイル端末のロケーション情報を判断することを動作的に可能にされた処理ユニットと、を含むことができる。
【００１６】
さらに別の態様によれば、専用コンピューティングデバイス中の１つまたは複数の処理ユニットによって実施された場合、１つまたは複数の処理ユニットが、複数のモバイル端末と複数の基地局とのワイヤレスシグナリング測定値に関連付けられた測位情報にアクセスすることと、ターゲットモバイル端末に関連付けられた測位情報とシグナリング情報とに少なくとも部分的に基づいてターゲットモバイル端末のロケーション情報を判断することと、を動作的に可能にするコンピュータ実施可能命令を記憶したコンピュータ可読媒体を含む製造品が提供され得る。
【００１７】
非限定的で非網羅的な態様は、別段に規定されていない限り、様々な図の全体を通して、同様の参照番号は同様の部分を指す、以下の図を参照しながら説明される。
【図面の簡単な説明】
【００１８】
【図１】図１は、例示的な実装形態による、測位されたワイヤレスシグナリング測定値に関連付けられた測位情報に少なくとも部分的に基づくことができるあるロケーションサービスを提供することを動作的に可能にされたコンピューティングプラットフォームを含むワイヤレスシグナリング環境を示す概略ブロック図である。
【図２】図２は、たとえば、図１の環境において実装され得るあるロケーションサービスを提供することを動作的に可能にされたコンピューティングプラットフォームの選択された機能を示す概略ブロック図である。
【図３】図３は、たとえば、図１の環境および／または図２のコンピューティングプラットフォームにおいて実装され得るあるロケーションサービスを提供するための例示的な方法を示す流れ図である。
【発明を実施するための形態】
【００１９】
あるロケーションサービスを提供するためにワイヤレスシグナリング環境において採用され得るいくつかの例示的な方法および装置が説明される。ロケーションサービスは、たとえば、測位されたワイヤレスシグナリング測定値に関連付けられた測位情報に少なくとも部分的に基づくことができる。
【００２０】
以下でより詳細に説明されるように、ある例示的な実装形態によれば、ロケーションサービスを提供するために、他のワイヤレスネットワークリソースに結合された１つまたは複数のコンピューティングプラットフォームを使用して、方法が実装され得る。そのような方法は、たとえば、モバイル端末と様々な基地局との間に生じるシグナリングに関する、ある時間期間にわたって複数のモバイル端末から収集された、ワイヤレスシグナリング測定値に関連付けられた測位情報にアクセスすることと、ターゲットモバイル端末に関連付けられた、アクセスされた測位情報、ワイヤレスシグナリング測定値、ロケーション情報、追加のシグナリング情報などのうちの少なくとも１つに少なくとも部分的に基づいて、ターゲットモバイル端末のロケーション情報を判断することと、を含むことができる。
【００２１】
本方法は、たとえば、ターゲットモバイル端末に関連付けられた、アクセスされた測位情報と追加のシグナリング情報とに少なくとも部分的に基づいて、信号パターンマッチングを実行することを含むことができる。ターゲットモバイル端末に関連付けられた追加のシグナリング情報は、たとえば、ターゲットモバイル端末から直接受信されること、および／または他のネットワークリソースから間接的に受信されること、が可能である。得られたロケーション情報は、たとえば、１つまたは複数の他のネットワークリソース、および／またはネットワークロケーションサービスに提供され得る。ある実装形態では、たとえば、ロケーション情報は、ターゲットモバイル端末に関連付けられた観測到達時間差（Observed Time Difference of Arrival（ＯＴＤＯＡ））情報に少なくとも部分的に基づくことができる。
【００２２】
ある例示的な実装形態では、ワイヤレスシグナリング測定値のうちの少なくとも１つは、対応するタイムスタンプ情報および／またはモバイル端末ロケーション情報を含むことができる。ある例示的な実装形態では、モバイル端末ロケーション情報は、ＳＰＳ情報に少なくとも部分的に基づくことができる。限定ではなく例として、そのようなＳＰＳ情報は、ＧＰＳデータ、アシスト型ＧＰＳ（Assisted GPS（Ａ−ＧＰＳ））データ、ＧＮＳＳデータ、アシスト型ＧＮＳＳ（Assisted GNSS（Ａ−ＧＮＳＳ））データ、および／または他の同様のデータ、を含むことができるか、またはそれらに関連付けられ得る。
【００２３】
以下でより詳細に説明されるように、ある例示的な実装形態では、ワイヤレスシグナリング測定値のうちの少なくとも１つは、様々なモバイル端末によって与えられ得る測定報告メッセージ（Measurement Report Message（ＭＲＭ））などに少なくとも部分的に基づいている。たとえば、モバイル端末は、広帯域符号分割多元接続（Wideband Code Division Multiple Access（ＷＣＤＭＡ））シグナリングに関連付けられたＭＲＭを送信することができる。
【００２４】
測位情報は、たとえば、実時間差（Real Time Difference（ＲＴＤ））情報を含むことができる。ＲＴＤは、基地局の任意のペア間の送信タイミングの差に関係する。たとえば、これは、あるタイミング信号が１つの基地局において送信される絶対時間（たとえば協定世界時（Coordinated Universal Time））と、同じ信号または対応する信号が別の基地局において送信される絶対時間と、の間の差とすることができる。方法は、たとえば、測位情報に少なくとも部分的に基づいて１つまたは複数の推定ＲＴＤを予測することを含むことができる。方法は、たとえば、ＯＴＤＯＡと推定ＲＴＤとのうちの少なくとも１つに少なくとも部分的に基づいて、ターゲットモバイル端末の推定ロケーションを判断することを含むことができる。方法は、たとえば、推定ＲＴＤのうちの少なくとも１つに少なくとも部分的に基づいて、少なくとも１つの基地局の精密時間支援（fine time assistance）情報を確立することを含むことができる。精密時間支援情報は、たとえば、基地局および／または他のネットワークリソースに与えられてもよく、ＳＰＳ時間に関連付けられてもよい。
【００２５】
以下でより詳細に説明されるように、ある例示的な実装形態では、本方法は、ロケーション情報に少なくとも部分的に基づいて、少なくとも１つの「ネットワークイベント」に関連付けられたイベントロケーション情報を判断することを含むことができる。ある例示的な実装形態では、ワイヤレスシグナリング測定値のうちの少なくとも１つは、合成ワイヤレスシグナリング測定値を含むことができる。方法は、たとえば、合成信号測定に少なくとも部分的に基づいて、カバレージエリア内のモバイル端末の分布を判断することを含むことができる。
【００２６】
本明細書全体にわたって言及する「一例」、「例」、「ある例」または「例示的な実装形態」は、機能および／または例に関して説明される特定の機能、構造、または特性が、請求される主題の少なくとも１つの機能および／または例に含まれ得ることを意味する。したがって、本明細書全体にわたる様々な箇所における「一例では」、「例」、「いくつかの例では」または「いくつかの実装形態では」という句または他の同様の句の出現は、必ずしもすべてが同じ機能、例、および／または制限を指すわけではない。さらに、それらの特定の機能、構造、または特性は、組み合わせられて１つまたは複数の例および／または機能になり得る。
【００２７】
本明細書で説明される方法は、特定の機能および／または例により、アプリケーションに応じて様々な手段によって実装され得る。たとえば、そのような方法は、ハードウェア、ファームウェア、ソフトウェア、および／またはそれらの組合せで実装されてもよい。ハードウェア実装では、たとえば、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書に記載の機能を実行するように設計された他のデバイスユニット、および／またはそれらの組合せ、内に実装されてもよい。
【００２８】
次に、例示的な実装形態による、測位されたワイヤレスシグナリング測定値１３０に関連付けられた測位情報２３０に少なくとも部分的に基づくことができるあるロケーションサービスを提供することを動作的に可能にされたコンピューティングプラットフォーム１０８を含むワイヤレスシグナリング環境１００を示すブロック図である図１が参照される。
【００２９】
ワイヤレスシグナリング環境１００は、たとえば、図１に１０２−１、１０２−２、１０２−３、．．．１０２−ｔ、．．．、１０２−ｎとして示される複数のモバイル端末１０２を含むことができる。後の例では、モバイル端末１０２−ｔはターゲットモバイル端末と呼ばれることがある。図１に示されるモバイル端末は、ワイヤレスシグナリング環境１００内のカバレージエリアの少なくとも一部分内にある間、ワイヤレスに通信することを動作的に（operatively）可能にされ得る任意の（１つまたは複数の）タイプの（１つまたは複数の）デバイス、（１つまたは複数の）機械などを表すことを意図されている。したがって、限定ではなく例として、モバイル端末１０２−ｎは、セルラー電話／モバイル電話、ポータブルコンピュータ、携帯情報端末、トラッキングデバイス、ナビゲーションデバイスなどを含むことができる。図１に示されるように、モバイル端末１０２は、ワイヤレス通信リンクを通して１つまたは複数の基地局１０４−１、１０４−２、．．．、１０４−ｍに通信することを動作的に可能にされ得る。ある例示的な実装形態では、１つまたは複数のモバイル端末１０２は、１つまたは複数のＳＰＳ１０６から信号を通して送信され得るＳＰＳデータを受信および／または処理することを動作的に可能にされ得る。
【００３０】
図１に示される基地局１０４−１、１０４−２、．．．、１０４−ｍは、ワイヤレスシグナリング環境１００内のカバレージエリアの少なくとも一部分内に存在する間、１つまたは複数のモバイル端末１０２とワイヤレスに通信することを動作的に可能にされ得る任意の（１つまたは複数の）タイプの（１つまたは複数の）デバイス、（１つまたは複数の）機械など表すことを意図されている。各基地局は、少なくとも１つのセル（図示せず）内でワイヤレス通信リンク（たとえば、リンク１２２−１によって表される）を介してそのようなワイヤレス通信サービスを提供するように割り当ておよび／またはさもなければ配置され得る。モバイル端末は、ロケーションおよび／またはシステム設計に応じて、１つまたは複数の基地局によってサービスされ得る。基地局１０４−１、１０４−２、．．．、１０４−ｍは、互いにおよび／または他のネットワークリソースなどに動作的に結合され得る。この例示的な実装形態に関して、図示のように、基地局１０４−１、１０４−２、．．．、１０４−ｍは、たとえば、（たとえば、リンク１２２−２によって表される）ワイヤード、ファイバ、および／またはワイヤレス通信リンクを介してロケーションサービスリソース１０８に動作的に結合され得る。
【００３１】
ロケーションサービスリソース１０８は、本明細書の例示的な実装形態および／または請求する主題において説明される（１つまたは複数の）ロケーションサービスの少なくとも一部分を実行することを動作的に可能にされ得る任意の（１つまたは複数の）タイプの（１つまたは複数の）デバイス、機械などを表すことを意図されている。ある実装形態では、たとえば、そのようなロケーションサービスは、測位されたワイヤレスシグナリング測定値に関連付けられた測位情報に少なくとも部分的に基づくことができ、ロケーションサービスリソース１０８は１つまたは複数のコンピューティングプラットフォームを含むことができる。ある例示的な実装形態では、ロケーションサービスリソース１０８は、他のサービスを提供することをも可能にされ得る１つまたは複数のコンピューティングプラットフォームにおいて実装され得る。たとえば、ロケーションサービスリソース１０８は、無線ネットワークコントローラ（Radio Network Controller（ＲＮＣ））サービスを提供することをも可能にされ得る１つまたは複数のコンピューティングプラットフォームに実装され得る。他の例示的な実装形態では、ロケーションサービスリソース１０８は、１つまたは複数の専用コンピューティングプラットフォームにおいて実装され得る。
【００３２】
以下でより詳細に説明されるように、ロケーションサービスリソース１０８は、たとえば、ある時間期間にわたって複数のモバイル端末１０２から収集された、モバイル端末と様々な基地局１０４との間に生じるシグナリングに関するワイヤレスシグナリング測定値に関連付けられた測位情報にアクセスすることを動作的に可能にされ得る。ロケーションサービスリソース１０８は、たとえば、ターゲットモバイル端末１０２−ｔに関連付けられた測位情報と追加のシグナリング情報とに少なくとも部分的に基づいて、ターゲットモバイル端末１０２−ｔのあるロケーション情報を判断することをも動作的に可能にされ得る。
【００３３】
ロケーションサービスリソース１０８は、たとえば、１つまたは複数のネットワーク１１０を通して他のリソースに動作的に結合され得る。たとえば、ある実装形態では、別のリソース１１２は、ロケーションサービスリソース１０８からもう１つのネットワーク１１０を介してターゲットモバイル端末１０２−ｔのロケーション情報を要求および／または受信することができる。限定ではなく例として、リソース１１２は、緊急ロケーションサービスなどを含むことができる。
【００３４】
同じロケーションサービスまたは異なるロケーションサービスを実行し、それら自身の間で情報を転送することを可能にされ得るロケーションサービスリソース１０８の複数のインスタンスが存在することもできる。たとえば、ロケーションサービスリソース１０８の１つのインスタンスは、モバイル端末１０２と基地局１０４とからシグナリング測定値を受信することと、これらを組み合わせてモバイル端末１０２の測位情報と基地局１０４のタイミング情報とを取得することとに専用とされ得る。そのような取得された情報は、モバイル端末１０２−ｔのロケーションを導出することなど、モバイル端末１０２−ｔのロケーションサービスを実行するためにこの情報を使用することができる、ロケーションサービスリソース１０８の別のインスタンスに転送され得るか、またはそのインスタンスからアクセスされ得る。
【００３５】
次に、たとえば、図１のロケーションサービスリソース１０８として実装され得るあるロケーションサービスを提供することを動作的に可能にされたコンピューティングプラットフォームの選択された機能を示すブロック図である図２が参照される。
【００３６】
図２の例に示されるように、ロケーションサービスリソース１０８は、１つまたは複数の接続２０６（たとえば、バス、ライン、ファイバ、リンク、など）と動作的に結合され得る１つまたは複数の処理ユニット２０２と、メモリ２０４と、通信インターフェース２１０と、を含むことができる。
【００３７】
処理ユニット２０２は、ハードウェア、ソフトウェア、またはハードウェアとソフトウェアの組合せで実装され得る。したがって、たとえば、処理ユニット２０２は、データコンピューティング手順またはプロセスの少なくとも一部分を実行するように構成可能な１つまたは複数の回路を表すことができる。限定ではなく例として、処理ユニット２０２は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含むことができる。
【００３８】
メモリ２０４は、任意のデータ記憶機構を表すことができる。たとえば、メモリ２２０は、主メモリおよび／または補助メモリを含むことができる。たとえば、主メモリは、ランダムアクセスメモリ、読取り専用メモリなどを含むことができる。この例では処理ユニット２０２とは別個として示されているが、主メモリの全部または一部を、処理ユニット２０２内に設けられ得ること、またはさもなければ処理ユニット２０２と共設／結合され得ることを理解されたい。たとえば、補助メモリは、主メモリ、および／または１つまたは複数のデータ記憶デバイスまたはシステム、たとえば、ディスクドライブ、光ディスクドライブ、テープドライブ、固体メモリドライブなどと同じまたは同様のタイプのメモリを含むことができる。
【００３９】
ある実装形態では、補助メモリは、コンピュータ可読媒体２２０を動作的に受容できるか、またはさもなければそれに結合するように構成可能とすることができる。したがって、ある例示的な実装形態では、本明細書で提示される方法および／または装置は、その上に記憶されるコンピュータ実施可能命令２０８を含むことができるコンピュータ可読媒体２２０の全体または一部の形態をとることができ、少なくとも１つの処理ユニット２０２によって実行されると、本明細書で説明する（１つまたは複数の）例示的なロケーションサービスの全部または部分を実行することを動作的に可能にされ得る。同じくこの例で示されるように、そのようなコンピュータ実施可能命令２０８は、メモリ２０４によっても供給され得る。
【００４０】
メモリ２０４は、本明細書で説明される１つまたは複数の例示的なロケーションサービスに関連付けられ得るデータ２２２を含むこともできる。同じく、および／または代替的に、データ２２２の全部または一部は、ロケーションサービスリソース１０８に動作的に結合され得る他のデバイス２２４（たとえば、（１つまたは複数の）他のコンピューティングプラットフォーム、データ記憶デバイスなど）によって供給され得る。
【００４１】
図２の例に示され、以下でより詳細に説明されるように、データ２２２は、限定ではなく例として、測位情報２３０、ロケーション情報２３２、信号パターンマッチング情報２３４、ＳＰＳ情報２３６、ＧＰＳデータ２３８、Ａ−ＧＰＳデータ２４０、ＧＮＳＳデータ２４２、Ａ−ＧＮＳＳデータ２４４、ＲＴＤ情報２４６、推定ＲＴＤ情報２４８、推定ロケーション２５０、ＯＴＤＯＡ情報２５２、精密時間支援情報２５４、ＳＰＳ時間情報２５６、イベントロケーション情報２５８、合成ワイヤレスシグナリング測定値情報２６０、および／または端末の分布情報２６２、のうちの１つまたは複数を含むことができる。
【００４２】
通信インターフェース２１０は、たとえば、受信機２１２および送信機２１４、あるいは／ならびにそれらの組合せを含むことができる。図示されるように、通信インターフェース２１０は、ワイヤレスおよび／またはワイヤード／ファイバリンクを介して通信することを動作的に可能にされ得る。通信インターフェース２１０は、たとえば、ロケーションサービスリソース１０８を、１つまたは複数の基地局１０４、ネットワーク１１０、他のデバイス２２４などと動作的に結合することができる。
【００４３】
次に、あるロケーションサービスを提供するために実装され得る例示的な方法３００を示す流れ図である図３に注意が向けられる。
【００４４】
ブロック３０２において、ワイヤレスシグナリング測定値が複数の基地局の複数のモバイル端末から収集されることができ、少なくとも部分的にそれらに基づいて、測位情報２３０が確立され、メモリに記憶され得る。ブロック３０４において、そのような測位情報２３０は、その後アクセスされ得る。
【００４５】
ブロック３０６において、ターゲット端末１０２−ｔに関連付けられたシグナリング情報が受信され得る。ブロック３０８において、ターゲット端末１０２−ｔの、またはそれに関連する、ロケーション情報２３２が、測位情報２３０とターゲット端末１０２−ｔに関連付けられた受信されたシグナリング情報とに少なくとも部分的に基づいて判断され得る。
【００４６】
以下でより詳細に説明するように、ある例示的な実装形態では、ブロック３０８は、１つまたは複数のブロック３１０、３１２、３１４、３１６、および／または３１８を含むことができる。ブロック３１０において、たとえば、信号パターンマッチング情報２３４とターゲット端末１０２−ｔに関連付けられた受信されたシグナリング情報とに基づいて、パターン信号マッチングが実行され得る。ブロック３１２において、たとえば、推定ＲＴＤ情報２４８が予測され得る。ブロック３１４において、たとえば、精密時間支援情報２５４が確立され得る。ブロック３１６において、たとえば、イベントロケーション情報２５８が判断され得る。ブロック３１８において、たとえば、端末の分布情報２６２が判断され得る。
【００４７】
ブロック３２０において、たとえば、データ２２２内のロケーション情報２３２、精密時間支援情報２５４、および／または他の情報／データは、別のリソース（たとえば、デバイス、サービスなど）に提供され得る。
【００４８】
上記の例示的な環境、装置、および方法を念頭に置いて、次に、本方法に関連付けられる追加の例示的な詳細が説明される。これらは、例として意図されており、したがって、必ずしも請求された主題を限定することを意図されていない。
【００４９】
ブロック３０２は、たとえば、自動的におよび／またはそうではなく、（たとえば、データ２２２の少なくとも一部分を含む）データベースをポピュレートおよび／または維持することを含むことができる。たとえば、そのようなデータベースは、測位情報２３０に含まれ得る、および／または測位情報２３０が少なくとも部分的に基づくことができるワイヤレスシグナリング測定値１３６（図１を参照）を含むことができる。限定ではなく例として、そのようなデータベースなどは、「Determination Of Cell RF Parameters Based On Measurements By User Equipments」と題され、２００６年７月３１日に出願された米国仮特許出願第６０／９５５，３０９号の優先権を主張する、２００７年７月３０日に出願された米国特許出願第１１／８３０，６５７号に提示された技法に少なくとも部分的に基づいてポピュレートおよび／または維持され得る。これらの出願は、たとえば、信号測定値のセットがタイムスタンプおよびロケーションスタンプを付けられ得る方法、ならびにそのようなデータに基づいてネットワーク構成およびネットワーク動作に影響を及ぼすか、またはさもなければそれらを最適化するためのいくつかの技法について説明している。ブロック３０２に実装され得る追加および／または代替の例示的な技法が、以下でより詳細に説明される。
【００５０】
ブロック３０２において、データ２２２内の測位情報および／または他の適用可能な情報／データを確立するために採用される技法にかかわらず、そのような情報／データは、たとえば、ブロック３０８においてロケーション情報および／または他の同様の情報／データが判断され得るように、ブロック３０４においてアクセスされ得る。例として、以下のセクションでは、信号パターンマッチングによってモバイル端末の位置を特定すること（ブロック３１０）、ＯＴＤＯＡを使用したモバイル端末のロケーションおよび／または推定ＲＴＤを予測すること（ブロック３１２）、ＳＰＳ（たとえば、Ａ−ＧＰＳ、Ａ−ＧＮＳＳなど）の精密時間支援情報を確立すること（ブロック３１４）、あるネットワーク関連イベントのロケーションおよび／またはさもなければタギング（tagging）を判断すること（ブロック３１６）、ならびに／あるいはカバレージエリア内またはその一部分内のモバイル端末の分布を判断すること（ブロック３１８）、をデータ２２２が動作的にサポートすることができる、いくつかの例示的なロケーションサービスが説明される。
【００５１】
本明細書で説明されるように、ネットワークにおける多くまたはすべての端末からタイムスタンプおよびロケーションスタンプを付けられた信号測定値などの測位情報を含むそのようなデータ／データベースを確立すると、ブロック３１０において、信号パターンマッチング情報２３４は、信号パターンマッチングによってターゲットモバイル端末１０２−ｔの位置を特定することをサポートするために確立され得るか、またはさもなければアクセスされ、利用され得る。ブロック３１２において、ＲＴＤ情報２４６は、１つまたは複数の推定ＲＴＤ２４８を予測するため、および／またはさもなければターゲットモバイル端末１０２−ｔのＯＴＤＯＡ２５２ベースのロケーションをサポートするために確立され得るか、またはさもなければアクセスされ、利用され得る。ＲＴＤ情報２４６および／または１つまたは複数の推定ＲＴＤ２４８は、たとえば、１つの基地局（たとえば、１０４−１）のＳＰＳ（たとえば、ＧＰＳまたはＧＮＳＳ）タイミング関連が別の基地局（たとえば、１０４−２）のそれから取得され得るようにすることによって精密時間支援を改善するために使用され得る。ブロック３１６において、ブロック３０８においてデータ２２２に少なくとも部分的に基づいて（たとえば、パターンマッチング、ＯＴＤＯＡを使用して）判断され得るターゲットモバイル端末１０２−ｔおよび／または他のモバイル端末のロケーションも、ある（たとえば、重要な）ネットワーク関連イベントのロケーションを判断するために使用され得る。
【００５２】
モバイル端末１０２および／または基地局１０４は、たとえば、ＧＰＳ、Ｇａｌｉｌｅｏ、ＧＬＯＮＡＳＳ、ＮＡＶＳＴＡＲなどのＧＮＳＳ、ならびに／あるいは適用可能な／代替のスードライトベースのシステムに関連付けられたＳＰＳ信号を受信することを動作的に可能にされ得る。
【００５３】
ブロック３０２の例
以下は、ブロック３０２において上記とともに使用され得る特定のシステム／技法の説明である。以下では、何かが「最適化された」、「必要な」という指定、または他の指定は、現在の開示が最適化されたシステムまたは「必要な」要素が存在しないシステムのみに適用すること（または他の指定による他の限定）を示していない。これらの指定は、特定の説明された実装形態のみを指す。もちろん、多くの実装形態が可能である。本技法は、開発中であるプロトコル、または開発される予定のプロトコルを含む、本明細書で論じるもの以外のプロトコルとともに使用され得る。
【００５４】
第３世代パートナーシッププロジェクト（3rd Generation Partnership Project（３ＧＰＰ））ＷＣＤＭＡのようないくつかのワイヤレス技術では、ワイヤレス端末１０２がサービング基地局および／または隣接基地局の信号強度および他の信号属性（たとえば、信号対ノイズ比）を周期的に測定することと、これらを測定報告メッセージ（Measurement Report Message（ＭＲＭ））など（たとえば、測位されたワイヤレスシグナリング測定値１３０）においてネットワークリソース（たとえば、３ＧＰＰ  ＲＮＣ）に送信することと、を可能にされ得る。例として、周波数分割複信（Frequency Division Duplex（ＦＤＤ））モードの場合、ＭＲＭは、ＷＣＤＭＡ基地局（たとえば、３ＧＰＰノードＢ）の共通パイロットチャネル（ＣＰＩＣＨ）の測定された信号対ノイズ比、ＣＰＩＣＨの受信信号コード電力（ＲＳＣＰ）および経路損失を含むことができる。時分割複信（Time Division Duplex（ＴＤＤ））モードでは、同様の情報が与えられ得る。ＷＣＤＭＡのＭＲＭの内容は、たとえば、現在３ＧＰＰ  ＴＳ  ２５．３３１において定義されている。
【００５５】
これらのワイヤレスシグナリング測定値の１つの目的は、モバイル端末が（１つまたは複数の）サービング基地局のカバレージエリア外に移動し始めたとき、および／またはこの（１つまたは複数の）基地局への送信およびそれからの受信が他のファクタ（たとえば、建築物、壁、ビークルなど）によって妨げられる可能性があるとき、１つの基地局から別の基地局（たとえば、ノードＢ）にモバイル端末をいつ転送（ハンドオーバ）するかをネットワークが決定することを可能にすることである。ＷＣＤＭＡでは、ハンドオーバは、それが生じる場合、現在、モバイル端末への送信およびそれからの受信をサポートしている基地局のアクティブセットに１つまたは複数の追加の基地局が追加され得る（および、アクティブセットにおける１つまたは複数の既存の基地局が除去され得る）ソフトハンドオーバの形態をとることができる。代替的に、（１つまたは複数の）サービング基地局の現在のアクティブセットが（１つまたは複数の）基地局の新しいアクティブセットと交換され得るハードハンドオーバが使用されてもよい。ハンドオーバを支援するために、モバイル端末は、モバイル端末によって参照される、隣接基地局または配置された基地局のペアからモバイル端末によって受信された信号間の観測タイミング差（ＯＴＤ）を報告することもできる。ＯＴＤは、特定のロケーションにおいて参照されるＲＴＤ、たとえば、そのロケーションにおいて観測された基地局のペア間の送信タイミング差に対応するが、ＲＴＤは、基地局ロケーションにおける送信タイミングに関係する。しかしながら、２つの基地局から等距離の任意のロケーションにおいて、ＯＴＤは、一般に、ＲＴＤに等しい。ＷＣＤＭＡでは、ＯＴＤおよび信号測定値は、モバイル端末によって同時に取得され、同じＭＲＭメッセージにおいて同時にネットワークに報告され得る。次いで、ネットワークは、各ＭＲＭメッセージにタイムスタンプを付け、その全部または部分を後で評価するために記憶することができ、測定値が受信されたときにハンドオーバを判断するためにそれらを利用することができる。
【００５６】
記憶された測定値を後で評価するために、ネットワーク（たとえば、ＲＮＣ、または（１つまたは複数の）他のリソース）は、多数の異なるモバイル端末（たとえば、特定のＲＮＣによってサービスされる複数のモバイル端末）からある時間期間にわたって受信された測定値を記憶し、利用可能にすることができる。測定値は、異なるモバイル端末からの測定値だけでなく、同じモバイル端末から様々な時点で受信された測定値をも含むことができる。
【００５７】
得られた測定値の集まりは、測定の各特定のセットを実行するときに各端末が有したロケーションを判断するために使用され得る。これは、ＯＴＤを評価することと、以下の情報および関係を利用することと、を含むことができる：
１．  たとえば、測量を使用して、および／またはＳＰＳ測定値によって取得された様々な基地局のロケーションが知られている可能性がある。
【００５８】
２．  基地局のペアからの信号送信間のＲＴＤも知られている場合、基地局の２つ以上のペア間のＯＴＤを与えたモバイル端末の、ＯＴＤが測定された時間のロケーションが判断され得る。これは、ＯＴＤ測定値に基づく測位方法のよく知られている性質である。基地局が共通タイミング（たとえば、ＧＰＳ時間）に同期されている場合、または、基地局送信時間が何らかの共通時間への既知の関係を有する場合、または既知のロケーションにおける個別の測定ユニットが基地局のペア間で周期的にＲＴＤを測定する場合、ＲＴＤが知られている可能性がある。
【００５９】
３．  ＲＴＤが知られていない場合、モバイル端末のロケーションは、そのモバイル端末によって与えられたＯＴＤ測定値のセットから判断されることができない。しかしながら、複数のモバイル端末のロケーションは、複数のモバイル端末が与えるＯＴＤ測定値のセットから、与えられたＯＴＤ測定値の冗長性によって判断され得る。本質的には、複数のモバイル端末によって与えられるＯＴＤ測定値の数が、端末がネットワークに測定値を送信するロケーションの端末（たとえば、ｘ，ｙ）座標の数と組み合わせられた場合、ＯＴＤが与えられる基地局のペア間のＲＴＤ値の数を著しく超える場合、これらの変数間の関係は、変数が存在することができるよりも多く存在することができるので、（たとえば、ｘ，ｙ）座標およびＲＴＤ値を解決することが可能であり得る。
【００６０】
４．  （ｘ，ｙ）座標およびＲＴＤの値を解決するため、様々な方法が使用され得る。たとえば、測位ＭＲＭを使用してこれを行うために、たとえば、最初に、未知の座標およびＲＴＤ値の推定値または固定の初期値が仮定され、次いで、座標およびＲＴＤ値の新しい、より正確な推定値を取得するために、これらの未知の値を既知の測定されたＯＴＤ値に関係付ける式が使用される、反復法が実装され得る。次いで、さらにより正確な推定値を取得するために、より正確な推定値が式に再導入されることができ、ロケーション座標およびＲＴＤの値が固定の値に収束するまで、プロセスが繰り返され得る（反復され得る）。
【００６１】
各ＭＲＭメッセージが送信された元である各モバイル端末のロケーションがＭＲＭ測定値データに追加され得ることにより、既知の時間および既知のロケーションにおける信号測定値のセットを生じる。次いで、ネットワーク事業者またはネットワークサービスは、ネットワークカバレージエリアの全部または一部にわたって、測定値によってカバーされる時間期間の間、カバレージが提供されないエリアを除いて、信号状態を判断するためにこのデータを使用することができる。ここで、たとえば、後者のエリアは、それらの内部のロケーションの測定報告の欠如から識別され得る。さらに、信号測定値が受信されるエリアでは、信号データに所望のレベルの精度を与えるために、同じまたはほぼ同じロケーションに対して、異なる端末からの測定値、および同じ端末からの異なる時間における測定値が合成され得る（たとえば、平均され得るなど）。
【００６２】
そのような測定値は、たとえば、時刻に関係することができる（たとえば、毎日同じ時刻に対して平均される）。そのような測定値データは、信号状態によってワイヤレスサービスに引き起こされ得る結果に信号状態をより適切に相関させるために、モバイル端末から取得されるかまたはモバイル端末に対して観測される他のデータ（たとえば、破棄された呼、失敗した呼の試行など）とも合成され得る。合成信号測定値、タイムスタンプおよびロケーションデータは、モバイル端末のカバレージエリアの全部または部分にわたる分布（たとえば、時刻および曜日などに応じた各ロケーションにおけるモバイル端末の密度）を判断するために使用され得る。ここで、たとえば、そのような得られた端末の分布情報２６２は、ネットワークカバレージを改善する際に、事業者またはサービスを支援することができる（たとえば、電力出力、アンテナチルト、アンテナ高さなどの増加または減少のような有用な調整、および／または追加の基地局が有益であると判明し得るロケーションを基地局に示すのを助けることができる）。
【００６３】
ブロック３１０の例
ブロック３１０において、そのような測位ＭＲＭ情報は、信号パターンマッチングを使用してターゲットモバイル端末１０２−ｔの位置を特定することを支援するために使用され得る。したがって、ネットワークカバレージを改善および／またはさもなければ最適化するためにネットワーク事業者またはネットワークサービスを支援することに加えて、ターゲットモバイル端末１０２−ｔの位置を特定するのを助けるために、たとえば、ネットワークロケーションサービス、フレンドファインダ、方向探知、緊急呼のロケーションなどの一部として、測位ＭＲＭデータなどが使用され得る。
【００６４】
モバイル端末のロケーションを判断するために使用され得る１つの知られている方法は、サービング基地局および隣接基地局のモバイル端末からの信号情報（たとえば、ＷＣＤＭＡ  ＭＲＭメッセージにおいて送信されるものなどの信号強度測定値および信号対ノイズ比）を取得することである。次いで、そのような信号情報は、前にネットワークサービングエリアをカバーする多数の異なる既知のロケーションにおいて作成され、取得されたネットワークの信号測定値と比較され得る。前に取得された信号測定値の特定のセットへの一致が発見された場合、同じまたはほぼ同じ対応する信号測定値を有することに関して、それらの測定値が作成された既知のロケーションは、モバイル端末の良好なロケーション推定値を与えることができる。
【００６５】
上記の方法は、任意のロケーションにおける信号測定値のセットが通常他のロケーションにおけるそれとは別個であり、通常は経時的に安定しているという事実に依拠する。信号測定値のこの安定したセットは、パターンまたはプロファイルと見なされ得る。たとえば、遠く離れた２つのロケーションでは、観測可能な基地局のセットは異なる可能性があり、観測された信号測定値のパターンに明らかな差を生じる。基地局の同じセットが観測可能であり得る、互いに近接する２つのロケーションでは、たとえば、各基地局への異なる距離、異なる見通し線状態、異なる減衰レベル、任意の基地局への非見通し線の異なるマルチパス状態、および／または他の同様のファクタにより、すべての基地局の信号強度および信号品質が同じではあり得ない。したがって、信号測定値の２つのパターンは同じではあり得ない。
【００６６】
最初にすべてのロケーションにおける信号状態を取得するために、異なる方法が利用可能である。シンプルであるが、時間がかかり、費用がかかる１つの方法は、すべてのロケーションにおいて、または多数のロケーションにおいて信号を測定することである。別の方法は、基地局ロケーション、伝送特性およびローカルトポグラフィ（たとえば、地盤高および建築物およびフロラカバレージ）の知識に基づいて、予想される信号測定値を計算することである。たとえば、ネットワークサービングエリアをカバーしているロケーションのサンプリングのための信号を測定し、近くのロケーションの測定された信号に基づいて残りのロケーションの信号を計算することによって、両方法の組合せが使用され得る。
【００６７】
本方法をより正確および系統的にするためには、たとえば、互いから固定の距離（たとえば、１００メートル）にあるポイントのセットを定義する矩形または他の同様の格子をもつネットワークカバレージエリアをオーバレイすることにより、あらかじめ定義された間隔が密なロケーションのセットにおいて信号を計算または測定することが都合のよいことがある。
【００６８】
上記のこれらの例示的なプロセスに従って信号を測定することおよび／または信号を計算することは、頻繁に行うことができない。したがって、得られた信号測定値のデータ／データベースは、たとえば、不正確な信号測定値または計算から生じた誤差、および／または測定値の初期セットをコンパイルした後に生じた可能性があるネットワーク動作およびローカルトポグラフィの変化から生じる誤差などの誤差を含む可能性がある。そのような変化の例は、建築物の建設、増築および解体、森林伐採、道路建設、トラフィックフローの変化、新しい基地局の追加および既存の基地局の変化などを含むことができる。
【００６９】
信号状態を周期的に再測定または再計算しなければならないことを避けるため、および信号状態の初期誤差の検出および訂正を可能にするために、継続的に採用され得る他の方法を使用して信号測定値を取得することは利点とすることができる。信号測定値の初期データベースをコンパイルするため、または他の方法によって取得されたそのような初期データ／データベースを検証および／または改善するためにそのような方法を使用することにも利点があり得る。
【００７０】
したがって、たとえば、本明細書のいくつかの態様によれば、測位ＭＲＭまたは端末信号測定値を収集し、それらからモバイル端末ロケーションを導出する同様の方法は、信号パターンマッチングで使用するための信号測定値データベースを確立するためおよび／または確立するのを助けるために使用され得る。そのような方法は、基地局送信およびローカルトポグラフィが変化する可能性があるので、データ／データベースを維持するためにさらに採用され得る。これを達成するために、ＭＲＭメッセージのセットがモバイル端末から受信されると、ネットワークは、たとえば、ネットワーク動作の通常の過程において、それらにタイムスタンプを付けて記憶することができる。周期的間隔で、記憶されたＭＲＭメッセージ中のシグナリング測定値は、ＭＲＭメッセージが送信された元であるロケーションをそれぞれ判断するために使用され得る。結果は、たとえば、ＭＲＭ測定値の各セットがタイムスタンプとロケーションとを有するＭＲＭ測定値のセットを含むことができる。最初に、信号測定値データが必要な、あらかじめ定義されたロケーションごとに、これと同じロケーションまたは近接するロケーションのＭＲＭ測定値が（たとえば、タイムスタンプを付けられ、位置を特定されたＭＲＭ測定値のセットから）収集される。次いで、これらの測定値は、たとえば、（たとえば、近くの基地局の信号強度および信号品質測定値を備える）測定値の単一のセットを生じるために合成され得る。そのような合成の方法は、たとえば、対応する測定値の平均または（たとえば、要求され、あらかじめ定義されたロケーションにより近いロケーションにおける測定値により高い重みが割り当てられる）重み付き平均を採用することができるか、または若干の計算（たとえば、あらかじめ定義されたロケーションとは異なるロケーションからの測定値の、これらのロケーションにおけるトポグラフィの差と測定された基地局までの距離とに応じた調整）を採用することができる。そのような合成の方法の結果は、それぞれあらかじめ定義されたロケーションの合成信号測定値の単一のセットを含むことができ、このセットは、これらのあらかじめ定義されたロケーションの信号測定値の前のセットを、（たとえば、重み付き平均の方法を使用して）交換または調整するために使用され得る。近くのロケーションにおいて利用可能とすることができるＭＲＭ測定値がないあらかじめ定義されたロケーションでは、前の測定値データが使用され続けることができる。
【００７１】
パターンマッチングを使用したロケーションをサポートするために、測位ＭＲＭを使用して収集された、得られた信号測定値のデータ／データベースは、ＭＲＭ信号測定値を与えているいくつかのモバイル端末の正確なロケーションを取得することによってさらに改善され得る。たとえば、モバイル端末は、信号測定値に関連してＳＰＳ（たとえば、ＧＰＳ、Ａ−ＧＰＳなど）から導出されたロケーション推定値を与えることができる。代替的に、ネットワーク（たとえば、ＲＮＣまたは他の同様のリソース）は、（たとえば、ＳＰＳロケーションを呼び出すことによって）モバイル端末自体のロケーション推定値を取得することができる。より正確なロケーションは、関連付けられたＯＴＤ値とともに、基地局のペア間のより正確なＲＴＤ値を取得するために使用され得ることにより、今度はＯＴＤ値およびＲＴＤ値から取得される他のロケーションの精度を向上することができる。得られたロケーションは、場合によってはより正確であり、たとえば、信号パターンマッチング情報２３４のためにあらかじめ定義されたロケーションのより正確な信号測定値が取得されることを可能にすることができる。
【００７２】
次いで、上述のように収集された信号測定値は、ターゲットモバイル端末からの信号測定値を、ブロック３０２において確立されたデータベース２２２中の信号測定値と比較し、関連付けられた信号測定値がターゲットモバイル端末からの信号測定値に最もぴったり一致する、データベースに記憶されたロケーションを発見することによって、ブロック３１０においてターゲットモバイル端末の位置を特定するためまたは特定するのを助けるために使用され得る。
【００７３】
ブロック３１２の例
したがって、たとえば、本明細書のいくつかの態様によれば、データ２２２および／または他の同様のデータ／データベースの一部分は、ブロック３１２により、観測時間差に少なくとも部分的に基づいてターゲットモバイル端末１０２−ｔの位置を特定することを支援するために使用され得る。
【００７４】
ロケーションが判断されるべきモバイル端末の近くにある基地局のペア間の観測タイミング差の測定値を利用する様々な測位方法がよく知られており、たとえば、ＷＣＤＭＡネットワークにおいてモバイル端末の位置を特定するためにＯＴＤＯＡを使用すること、またはＧＳＭ（登録商標）ネットワークにおいてモバイル端末の位置を特定するために強化観測時間差（Enhanced Observed Time Difference（Ｅ−ＯＴＤ））を使用することを含む。しかしながら、これらの知られている測位方法のいずれの場合も、モバイル端末のロケーションを計算するために、基地局のロケーションと基地局間のＲＴＤとがＯＴＤとともに知られている必要がある。ここで、たとえば、そのようなＲＴＤは、一般に、既知のロケーションにおいて特殊なロケーション測定ユニット（Location Measurement Unit（ＬＭＵ））によって測定されるが、これは時間および／または費用がかかる可能性がある。
【００７５】
本明細書のいくつかの態様によれば、ＯＴＤＯＡの場合、ＲＴＤをより容易に取得するために、上述のように測位ＭＲＭ法が採用され、基地局のペア間のＲＴＤを判断することができる。冗長なＯＴＤ測定値からモバイル端末ロケーションとＲＴＤとを反復的に計算する前に、最初にネットワークの一部または全部にわたって、多数の端末からＭＲＭ測定データを収集する必要があるので、この判断はリアルタイムで行うことができない。したがって、取得されたＲＴＤは過去の時間に関係する可能性がある。しかしながら、ＲＴＤが静的であるかまたは変化するか、変化する場合は、それが確定的な（deterministic）レートで変化するかどうか（たとえば、各ＲＴＤ中のある一定のドリフトまたは他の定義可能な変化が存在することができるかどうか）を判断するために、そのような「ヒストリックな」ＲＴＤ値を使用する可能性がある。
【００７６】
基地局１０４は、知られているように、正確なタイミングをサポートし、いくつかの期間にわたって一定の伝送レートを維持することを可能にされ得る。これに対する例外は、通常はまれであり、発生した場合、通常はある安定した設定から別の設定へのタイミングの急激な変化を含む。ＲＴＤを検査することによって、一定の（または少なくとも確定的な）タイミングがサポートされ得る基地局のペアを、タイミング差が不規則であるかまたは１つの安定した値から別のものに変更された可能性がある他の基地局のペアと比較して判断することが可能であり得る。同じ基地局が二回以上現れる、いくつかまたは多くの基地局のペアのＲＴＤを取得することによって、安定したタイミングにおいて不規則なタイミングまたは急激な変化を生じる個々の基地局を隔離することも可能であり得る。たとえば、基地局のセット｛Ａ、Ｂ、Ｃ｝においてペア間のＲＴＤが取得され、基地局ペア｛Ａ、Ｂ｝が安定したまたは確定的なＲＴＤを示し、基地局ペア｛Ｂ、Ｃ｝および｛Ａ、Ｃ｝が不規則であるかまたは急激に変化するＲＴＤを示すことが観測された場合は、基地局ＡおよびＢは一定のまたは確定的なタイミングを有し、Ｃは、不規則であるかまたは急激に変化するタイミングを有するはずであると結論され得る。
【００７７】
次いで、今後これらの基地局間のＲＴＤを推測することは妥当とすることができるので、ＯＴＤＯＡを使用したロケーション判断をサポートするために、タイミングが一定のまたは確定的なすべての基地局間のＲＴＤが使用され得る。さらに、ＲＴＤが周期的に再計算される場合、基地局タイミングの変化（たとえば、１つの安定したＲＴＤ値から別の値への変化）が検出される可能性がある。
【００７８】
ロケーション判断の精度に関して、ターゲットモバイル端末１０２−ｔのロケーションの精度は、測位ＭＲＭ法によって取得されたＲＴＤの精度によって限定され得る。したがって、ターゲットモバイル端末１０２−ｔのロケーションの精度は、ネットワークに送信される周期的な信号測定値において端末によって与えられるより高い精度のＯＴＤによって向上され得る。
【００７９】
ブロック３１６の例
本明細書のある他の態様によれば、ネットワークイベントは、本明細書で提示する方法に基づいてブロック３１６により、ロケーションタギングを使用して識別され得る。ネットワークは、一時的にまたは長時間にわたって、多数の関連する、場合によっては重大なイベントに遭遇することが時々ある。これの例は、多数の破棄された呼、呼試行失敗、呼ハンドオーバ、破棄されたテキストメッセージおよび／または他のタイプのサービス障害および異常を含むことができる。しかしながら、そのようなネットワークイベントは、いくつかのロケーションに固有の場合がある。そのようなネットワークイベントは、一回限り、間欠的または連続的とすることができる。事業者がそのようなネットワークイベントのロケーションを判断することは、原因を判断すること、および／または回復または改善のための適当なアクションを判断することを助けるために有益とすることができる。
【００８０】
１つまたは複数のモバイル端末のロケーションが判断され得る場合、そのようなネットワークイベントが発生すると、そのようなネットワークイベントは、ロケーションタグを付けられ、および／または他の処理が行われ得る。モバイル端末のロケーションは、たとえば、本明細書で提示する測位ＭＲＭ法を使用して、たとえば、パターンマッチングおよび／またはＯＴＤを使用して判断され得る。
【００８１】
モバイル端末のロケーションが取得されると、ネットワークイベントおよびそのロケーションが、他のモバイル端末に関して取得された同様のロケーションおよびイベントとともにネットワークリソースに送信され得る。報告されたイベントおよびロケーションの集合を考察することによって、異常であるが共通のネットワークイベントの出現率が高い、特殊なロケーションエリア、時間期間などを隔離するために、人員および／または自動分析ツールが採用され得る。
【００８２】
ブロック３１４の例
本明細書のいくつかの他の態様によれば、本明細書における方法を使用して、ブロック３１４に従ってＳＰＳ（たとえば、Ａ−ＧＰＳ、Ａ−ＧＮＳＳなど）ロケーションの精密時間支援が与えられ得る。
【００８３】
モバイル端末が正確なＳＰＳ（たとえば、ＧＰＳまたはＧＮＳＳ）基準時間を備える場合、ＧａｌｉｌｅｏまたはＧＬＯＮＡＳＳまたは近代化ＧＰＳ（Modernized GPS）などのシステムのための、アシスト型ＧＰＳ（Assisted GPS（Ａ−ＧＰＳ））またはアシスト型全地球航法衛星システム（Assisted Global Navigation Satellite System（Ａ−ＧＮＳＳ））などのＳＰＳ技法を使用して取得されるモバイル端末のロケーション推定値の精度、信頼性および応答時間が改善され得ることが知られている。これは、ネットワークがモバイル端末に、サービング基地局（または何らかの他の観測可能な隣接基地局）のローカル送信タイミングとそのようなＳＰＳ時間とを関連付ける精密時間支援情報を与える場合に達成され得る。次いで、モバイル端末は、現在の基地局の送信タイミングとの関連を通して任意の将来の時間におけるＳＰＳ時間を導出するために、この関連／情報を使用することができる。
【００８４】
モバイル端末に精密タイミング支援を与えるために、ネットワークは、それ自体の測定機能を使用して（たとえば、各基地局におけるハードウェア／ソフトウェア要素、および／または基地局の外部の他の同様の要素を使用して）基地局およびＳＰＳタイミング関連を測定することができる。しかしながら、そのような構成は、展開するために費用がかかる可能性がある。より費用のかからない代替は、同じくロケーションが与えられるかまたは判断されるモバイル端末によって与えられたそのような測定値に依拠することとすることができる（たとえば、モバイル端末がＳＰＳ時間による基地局タイミング関連と、その現在のロケーションまたはモバイル端末ロケーションを導出するためにネットワークによって使用され得るＳＰＳ測定値のセットの両方をネットワークに与える場合）。モバイル端末のロケーションを知ると、ネットワークリソースは、たとえば、基地局への伝搬遅延を計算することができ、基地局タイミングとＳＰＳ時間との間のモバイル端末によって与えられた関連を、モバイル端末ではなく基地局のロケーションに適用可能であるこれらの時間の間の関連に調整することができる。このタイミング関連は、たとえば、後で別の端末にタイミング関連を与えるために使用され得る。
【００８５】
上記の第２の方法で起こり得る１つの問題は、すべての端末がＳＰＳロケーションをサポートすることができるわけではないことであり、サポートする端末でさえ、必要なデータ（たとえば、基地局とＳＰＳとのタイミング関連、およびＳＰＳロケーション測定値またはこの値から導出したロケーション推定値）を常に与えることができるわけではないこととすることができる。これは、たとえば、ユーザによるバッテリ節約および／またはロケーションサポートの非活動化による可能性がある。ネットワークが、必ずしもすべての基地局ではなく、いくつかの基地局のタイミング関連を与えるために十分な測定要素しか展開していない場合は、上記の第１の方法に同様の問題が適用され得る。これは、ネットワークが基地局のサブセットのＳＰＳタイミング関連しか知らないという結果を生じる可能性がある。
【００８６】
この制限を克服するために、本明細書で提示する例示的な測位ＭＲＭ法は、基地局のペア間のＲＴＤおよびＲＴＤの安定性ならびに／あるいは可能なドリフトレートを判断するために使用され得る。基地局「Ｘ」とのＳＰＳタイミング関連が知られている場合、別の基地局「Ｙ」とのＳＰＳタイミング関連は、たとえば、ＸとＹの間のＲＴＤを使用してＸ送信タイミングをＹ送信タイミングに変換することによって判断され得る。ＸとＹの間のＲＴＤが直接知られている場合、およびＲＴＤが直接知られていないが、基地局ペアのシーケンス｛Ｘ，Ｂ１｝、｛Ｂ１，Ｂ２｝、｛Ｂ２，Ｂ３｝、．．．（Ｂｎ−１，Ｂｎ｝、｛Ｂｎ，Ｙ｝間のＲＴＤが知られている場合、後者の場合は個々の基地局ペアのＲＴＤが合成（たとえば、合計）されてＸとＹとの間のＲＴＤを与えることができるので、この技法が適用され得る。
【００８７】
したがって、基地局のペア間のＲＴＤを判断するために測位ＭＲＭ法を使用することは、ネットワークがいくつかの基地局に対して知られているＳＰＳ時間との送信タイミング関連を、ネットワークにおけるすべてまたはたいていの基地局をカバーするように拡張することを可能にすることができる。次いで、これは、精密時間支援情報がいくつかのモバイル端末に与えられることを可能にすることができる。
【００８８】
これまである例示的なネットワークが示されたが、そのある例示的なモバイル端末、基地局、ネットワークなどは、様々なワイヤレス通信ネットワーク（たとえば、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）など）での使用を可能にされ得ることを理解されたい。本明細書では、「ネットワーク」および「システム」という用語は互換的に使用されることがある。ＷＷＡＮは、符号分割多元接続（Code Division Multiple Access（ＣＤＭＡ）｝ネットワーク、時分割多元接続（Time Division Multiple Access（ＴＤＭＡ））ネットワーク、周波数分割多元接続（Frequency Division Multiple Access（ＦＤＭＡ））ネットワーク、直交周波数分割多元接続（Orthogonal Frequency Division Multiple Access（ＯＦＤＭＡ））ネットワーク、単一搬送波周波数分割多元接続（Single-Carrier Frequency Division Multiple Access（ＳＣ−ＦＤＭＡ））ネットワークなどとすることができる。ＣＤＭＡネットワークは、ほんのいくつかの無線技術を挙げれば、ｃｄｍａ２０００、広帯域ＣＤＭＡ（Wideband-CDMA（Ｗ−ＣＤＭＡ））などの１つまたは複数の無線アクセス技術（ＲＡＴ）を実装することができる。この場合、ｃｄｍａ２０００は、ＩＳ−９５標準、ＩＳ−２０００標準、およびＩＳ−８５６標準に従って実装される技術を含むことができる。ＴＤＭＡネットワークは、広域移動体通信システム（Global System for Mobile Communications（ＧＳＭ））、デジタルアドバンスト移動電話システム（Digital Advanced Mobile Phone System（Ｄ−ＡＭＰＳ））、または他の何らかのＲＡＴを実施することが可能である。ＧＳＭおよびＷ−ＣＤＭＡは、「第３世代パートナーシッププロジェクト（3rd Generation Partnership Project）」（３ＧＰＰ）という名称の組織からの文書に記載されている。ｃｄｍａ２０００は、「第３世代パートナーシ
ッププロジェクト２（3rd Generation Partnership Project 2）」（３ＧＰＰ２）という名称の組織からの文書に記載されている。３ＧＰＰおよび３ＧＰＰ２の文書は公に入手可能である。ＷＬＡＮは、ＩＥＥＥ  ８０２．１１ｘネットワークを含むことができ、ＷＰＡＮは、Ｂｌｕｅｔｏｏｔｈ（登録商標）ネットワーク、たとえば、ＩＥＥＥ  ８０２．１５ｘを含むことができる。
【００８９】
ある例示的な実装形態では、本明細書で説明される方法、技法および／または機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされる任意の利用可能な媒体とすることができる。限定ではなく、例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶デバイスまたは他の磁気記憶デバイス、あるいは命令またはデータ構造の形態で所望のプログラムコードを担持または記憶するために使用され、コンピュータによってアクセスされ得る、任意の他の媒体を備えることができる。また、任意の接続はコンピュータ可読媒体と適切に呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００９０】
現在例示的な特徴と考えられていることが例示され説明されたが、請求された主題を逸脱することなく、他の様々な変形が行われてもよいこと、および均等物が代用されてもよいことが、当業者には理解されよう。さらに、本明細書に記載される中心概念から逸脱することなく、請求された主題の教示に特定の状況を適合させるために多くの変更が行われてもよい。
【００９１】
したがって、請求された主題は、開示された特定の例に限定されず、そのような請求された主題は、添付の特許請求の範囲の範囲内に入るすべての態様、およびその均等物をも含むことが意図される。
【図１】
2011517260.tif 000003
【図２】
2011517260.tif 000004
【図３】
2011517260.tif 000005
【国際調査報告】
2011517260.tif 000006
2011517260.tif 000007
2011517260.tif 000008